(57)【特許請求の範囲】
【請求項１】
扉に配設される錠箱に対しスライド自在に設けられ前記扉の前端面から進退されるロック部材を備えた施解錠装置において、
前記錠箱の屋外側に設けられ屋外側からのキーによる操作により前記ロック部材を進退させて施解錠を行う第一シリンダー錠と、
前記錠箱の屋外側に設けられ一方のスライド位置で前記第一シリンダー錠の回転を阻止し、他方のスライド位置で該第一シリンダー錠を回転自在にするスライドプレートと、
前記錠箱の屋外側に設けられ屋外側からの前記キーによる操作により前記スライドプレートを前記一方のスライド位置又は、前記他方のスライド位置に移動させる第二シリンダー錠と、
前記錠箱の屋内側に設けられ屋内側からの回転操作により前記ロック部材を進退させて施解錠を行うとともに、解錠時には前記一方のスライド位置にある前記スライドプレートを前記他方のスライド位置に移動させるサムターンと、
を具備したことを特徴とする施解錠装置。
【請求項２】
扉に配設される錠箱に対しスライド自在に設けられ前記扉の前端面から進退されるロック部材を備えた施解錠装置の操作方法において、
屋外側から第一シリンダー錠をキーにて操作することで前記ロック部材を突出させてシングルロックに施錠する操作と、
該シングルロックの後に、屋外側から第二シリンダー錠を前記キーにて操作することで前記第一シリンダー錠のキー操作を不能にしてダブルロックする操作と、
該ダブルロック状態の屋外側からの解錠には、前記第二シリンダー錠を前記キーにて操作して前記第一シリンダー錠のキー操作不能状態を解除した後、前記第一シリンダー錠を前記キーにて操作し前記ロック部材を後退させて解錠する操作、又は該ダブルロック状態の屋内側からの解錠には、サムターンの回転操作のみにより前記ロック部材を後退させて解錠する操作と、
を含むことを特徴とする施解錠装置の操作方法。
【請求項３】
前記第一シリンダー錠が解錠状態の時には、前記第二シリンダー錠がキー操作不能となることを特徴とする請求項２記載の施解錠装置の操作方法。
【発明の詳細な説明】
【０００１】
【発明の属する技術分野】
本発明は、屋内側に一つのサムターンと、屋外側に二つのシリンダー錠とを備えた施解錠装置及びその操作方法に関するものである。
【０００２】
【従来の技術】
施解錠装置には、防犯性能を高めるために、一の扉に二つの錠前を設ける、所謂ワンドア２ロックシステムが従来より採用されている。従来、このワンドア２ロックシステムは、屋外側に２シリンダー、屋内側に２サムターンを装着する、すなわちそれぞれが単独で機能する施解錠装置を２つ設ける構成が一般的である。
このような従来の施解錠装置は、施錠箇所に種々の錠前を設けることができるので、バール等によるこじ開けを困難にし、防犯性能を高めることができる。
【０００３】
【発明が解決しようとする課題】
しかしながら、上述した従来の施解錠装置は、施錠箇所に種々の錠前を設けることができるので、バール等によるこじ開けには強いが、２つのサムターン又は２つのシリンダー錠を、それぞれに操作、すなわち施錠時において及び解除時において２回操作しなければならず、煩雑である。
【０００４】
本発明は上記状況に鑑みてなされたもので、屋外側から必要に応じてダブルロック状態に操作ができる一方、屋内側からは１つのサムターンで施解錠操作ができる施解錠装置及びその操作方法を提供し、もって、防犯性能の向上と、利便性とを同時に達成することを目的とする。
【０００５】
【課題を解決するための手段】
次に、上記の課題を解決するための手段を、実施の形態に対応する図面を参照して説明する。
この発明の請求項１記載の施解錠装置１は、扉３に配設される錠箱Ａに対しスライド自在に設けられ前記扉３の前端面から進退されるロック部材を備えた施解錠装置１において、
前記錠箱Ａの屋外側に設けられ屋外側からのキー９による操作により前記ロック部材を進退させて施解錠を行う第一シリンダー錠５と、
前記錠箱Ａの屋外側に設けられ一方のスライド位置で前記第一シリンダー錠５の回転を阻止し、他方のスライド位置で該第一シリンダー錠５を回転自在にするスライドプレート２５と、
前記錠箱Ａの屋外側に設けられ屋外側からの前記キー９による操作により前記スライドプレート２５を前記一方のスライド位置又は、前記他方のスライド位置に移動させる第二シリンダー錠７と、
前記錠箱Ａの屋内側に設けられ屋内側からの回転操作により前記ロック部材を進退させて施解錠を行うとともに、解錠時には前記一方のスライド位置にある前記スライドプレート２５を前記他方のスライド位置に移動させるサムターン４５と、
を具備したことを特徴としている。
【０００６】
この施解錠装置１では、屋外側からの施錠時、第一シリンダー錠５のみをキー９にて操作することにより、ロック部材が進退されて施解錠が行われる。すなわち、この場合には、通常の施解錠装置としてのシングルロックが可能となる。
また、シングルロック状態で屋外側から第二シリンダー錠７が前記キー９と同一のキー９にて操作されると、スライドプレート２５が第一シリンダー錠５の回転を阻止する一方のスライド位置にスライドされ、第一シリンダー錠５を直接、キー操作させての解錠が不能になる。つまり、ダブルロック状態となる。このダブルロック状態の施解錠装置１を屋外側から解錠するには、最初に、第二シリンダー錠７がキー９にて操作される。第二シリンダー錠７がキー操作されると、スライドプレート２５が他方のスライド位置に移動され、第一シリンダー錠５の回転阻止が解除される。これにより、再び第一シリンダー錠５のみによるシングルロック状態となり、第一シリンダー錠５を前記キー９にて解錠操作することによる施解錠装置１の解錠が可能となる。
一方、ダブルロック状態の施解錠装置１を屋内側から解錠するには、サムターン４５が回転操作される。サムターン４５が回転操作されると、ロック部材の後退と同時に、スライドプレート２５が他方のスライド位置に移動され、ダブルロック状態から一度に、施解錠装置１が解錠されることになる。
【０００７】
請求項２記載の施解錠装置１の操作方法は、扉３に配設される錠箱Ａに対しスライド自在に設けられ前記扉３の前端面から進退されるロック部材を備えた施解錠装置１の操作方法において、
屋外側から第一シリンダー錠５をキー９にて操作することで前記ロック部材を突出させてシングルロックに施錠する操作と、
該シングルロックの後に、屋外側から第二シリンダー錠７を前記キー９にて操作することで前記第一シリンダー錠５のキー操作を不能にしてダブルロックする操作と、
該ダブルロック状態の屋外側からの解錠には、前記第二シリンダー錠７を前記キー９にて操作して前記第一シリンダー錠５のキー操作不能状態を解除した後、前記第一シリンダー錠５を前記キー９にて操作し前記ロック部材を後退させて解錠する操作、又は該ダブルロック状態の屋内側からの解錠には、サムターン４５の回転操作のみにより前記ロック部材を後退させて解錠する操作と、
を含むことを特徴としている。
【０００８】
この施解錠装置１の操作方法では、シングルロックの後に、屋外側から第二シリンダー錠７がキー９にて操作されることで、第一シリンダー錠５のキー操作が不能となる。屋外側からの解錠時には、第二シリンダー錠７がキー操作され、第一シリンダー錠５のキー操作不能状態が解除された後でなければ、第一シリンダー錠５がキー操作できなくなる。すなわち、屋外側からはダブルロック状態となる。
一方、ダブルロック状態における屋内側からの解錠時には、サムターン４５の回転操作のみによりロック部材が後退して解錠される。従って、煩雑な二重の解除操作を行うことなく、シングルロック状態と同様な容易な操作でのダブルロックの解錠が可能になる。
このように、屋外側からは、必要に応じてシングルロックとダブルロックとが選択可能となる。これにより、例えば短時間で解錠が予定される場合には、操作性を重視したシングルロックが選択可能となる。また、長期間、施錠状態となる場合には、防犯性を重視したダブルロックが選択可能になる。
【０００９】
請求項３記載の施解錠装置１の操作方法は、前記第一シリンダー錠５が解錠状態の時には、前記第二シリンダー錠７がキー９による操作不能となることを特徴としている。
【００１０】
この施解錠装置１の操作方法では、第一シリンダー錠５が解錠状態の時、第二シリンダー錠７がキー操作不能となる。つまり、第二シリンダー錠７は、第一シリンダー錠５が施錠状態の時のみキー操作可能になる。これにより、シングルロック希望時に、誤って第二シリンダー錠７が操作される誤操作が未然に防止されることになる。
【００１１】
【発明の実施の形態】
以下、本発明に係る施解錠装置及びその操作方法の好適な実施の形態を図面を参照して詳細に説明する。
図１は本発明に係る施解錠装置の縦断面図、図２は図１の台座ユニットを屋内側から視た正面図、図３は図２におけるイ−イ線矢視図、図４は施解錠装置の要部分解斜視図である。
【００１２】
図１に示すように、施解錠装置１は、扉３に配設される錠箱Ａと、錠箱Ａに対して屋外側に取り付けられる台座ユニットＣと、錠箱Ａに対して屋内側に取り付けられるサムターンユニットＤとにより大別して構成される。
【００１３】
錠箱Ａは、例えば扉３の端部に内蔵され、錠箱Ａに固定された図示しないフロント板が扉３の木口（前端面）に露出して取り付けられる。この錠箱Ａ内には、図示しないロック部材が内蔵される。このロック部材は、後述の第一シリンダー錠５、サムターン４５の操作によって、錠箱Ａに対しスライドし、扉３のフロント板から進退されるようになっている。つまり、扉枠に対しての施解錠を可能とする。ここでは、その具体的な機構の説明は省略する。
【００１４】
なお、このロック部材としては、扉枠側に取り付けられたガードアームに係止してドアチェーンと同様の働きをするガードボルト、主施錠手段となるデッドボルト、円弧状の可動軌跡を描いて突出されるカマデット、扉３の上端面或いは下端面から進退して扉枠に係合するロック手段等が含まれる。
【００１５】
台座ユニットＣには、第一シリンダー錠５と、第二シリンダー錠７とが上下に設けられる。第一，第二シリンダー錠５，７は、図４に示すキー９の挿入口が屋外側に露出する一方、キー操作により回転される図１の回転軸１１，１３が、台座ユニットＣの内部に突出されている。この第一，第二シリンダー錠５，７は、同一のキー９によって回転操作される。
【００１６】
なお、キー９には、オーナーキー９と、例えば図示しないコンスキーとを備えている。コンスキーは、オーナーキー９に比べて短尺で少ない凹凸溝（キー溝）９ａで形成される。コンスキーは、建物引渡し前の工事期間中における施工時の戸締り用等として使用される。このコンスキーは、建物引渡し後、オーナーキー９が使用されると、少ないキー溝では対応できないシリンダーが作動されてしまうため、解施錠には使用不能となる。
【００１７】
第一シリンダー錠５の回転軸１１にはストッパーダルマ１５が相対回転不能に嵌合され、ストッパーダルマ１５は回転軸１１と一体回転する。ストッパーダルマ１５には、図６に示すように、軸心方向に突出する突起板１５ａと、円周から半径方向に突出する係合板１５ｂとが設けられている。第一シリンダー錠５は、突起板１５ａが錠箱Ａ内に突出され、回転軸１１によって回転される突起板１５ａによって、錠箱Ａ内の機構を介してロック部材を錠箱Ａから進退可能としている。
【００１８】
ストッパーダルマ１５の外周には、リセットダルマ１７が相対回転自在に嵌合されている。リセットダルマ１７には、図７に示すように、軸心方向に突出する一対の凸部１７ａ，１７ａと、円周から半径方向に突出するリセット板１７ｂとが設けられている。リセットダルマ１７は、円環状に形成され、中央部で開口した穴部１７ｃにはストッパーダルマ１５の突起板１５ａが挿通状態とされる。
【００１９】
第二シリンダー錠７の回転軸１３には副ダルマ１９が相対回転不能に嵌合され、副ダルマ１９は回転軸１３と一体回転する。副ダルマ１９には、図８に示すように、円周から直径方向に突出する一対の規制腕１９ａ，１９ｂが設けられている。一方の規制腕１９ａには、副ダルマ１９の軸心と同方向に突出する小突起１９ｃが設けられている。
【００２０】
台座ユニットＣには、錠箱Ａと対向する面に図４に示す凹部２１が形成されている。上述のストッパーダルマ１５，リセットダルマ１７，副ダルマ１９は、この凹部２１内に配置される。凹部２１の底面と、これらのダルマ１５，１７，１９との間には、底板２３が設けられている。底板２３には、図５に示すように、ストッパーダルマ１５の円周に沿った切欠２３ａと、副ダルマ１９の円周に沿った穴部２３ｂと、軸穴２３ｃと、左右一対の長穴２３ｄ，２３ｄと、両側縁部に位置する一対の欠切部２３ｅ，２３ｅとが設けられている。この底板２３は、四隅のビス孔２３ｆによって、凹部２１の底部に移動不能に固定される。
【００２１】
底板２３と、錠箱Ａとの間には、図３に示すように、スライドプレート２５が平行に設けられている。スライドプレート２５は、凹部２１の内壁に両側端縁が摺接され、凹部２１で上下方向（図２における上下方向）にスライド自在となっている。なお、本明細書中では、スライドプレート２５の上方のスライド位置（図１５に示した位置）を一方のスライド位置、スライドプレート２５の下方のスライド位置（図２に示した位置）を他方のスライド位置と称す。
【００２２】
図９に示すように、スライドプレート２５の上辺部には、リセット板１７ｂの回転軌跡に沿う逃げ部２５ａが切り欠かれている。逃げ部２５ａの下部中央にはクリック軸遊嵌溝２５ｂが切り欠かれている。スライドプレート２５は、図１５に示す一方のスライド位置でストッパーダルマ１５の係合板１５ｂにクリック軸遊嵌溝２５ｂを係合させて第一シリンダー錠５の回転を阻止し、図２に示す他方のスライド位置でクリック軸遊嵌溝２５ｂとストッパーダルマ１５との係合を解除して第一シリンダー錠５を回転自在とする。
【００２３】
スライドプレート２５の左右側辺部には、それぞれアーム溝２５ｃ，２５ｃが切り欠かれている。また、スライドプレート２５の下辺部には、副ダルマ１９の円周に沿う中央切欠２５ｄが切り欠かれている。この中央切欠２５ｄの左部には溝２５ｅ、右部には小突起用溝２５ｆが連続して切り欠かれている。
また、スライドプレート２５にはバネピン孔２５ｇと、一対のアームピン孔２５ｈ，２５ｈとが穿設されている。さらに、スライドプレート２５には、底板２３の方向に向かって起立する一対の切り起こし２５ｊ，２５ｊが形成されている。スライドプレート２５は、小突起用溝２５ｆが、副ダルマ１９の小突起１９ｃに押圧されることにより、一方のスライド位置又は、他方のスライド位置に移動される。なお、この小突起用溝２５ｆの上下幅は、副ダルマ１９の回転角度における４５°の角度に相当する幅長となっている。
【００２４】
バネピン孔２５ｇにはスライドプレート２５の底板２３側の面から図１１（ｂ）に示すクリックバネピン２７が嵌合されている（図２参照）。台座ユニットＣの凹部２１には図１１（ａ）に示す筒状のクリック軸２９が、軸穴２３ｃ，クリック軸遊嵌溝２５ｂを貫通して立設されている。クリック軸２９には、図２に示すクリックバネ３１の一端が支持され、クリックバネ３１の他端はクリックバネピン２７に支持されている。つまり、クリックバネ３１は、台座ユニットＣとスライドプレート２５との間に亘って配設され、スライドプレート２５を一方のスライド位置又は他方のスライド位置に付勢するようになっている。
【００２５】
一対のアームピン孔２５ｈにはスライドプレート２５の底板２３側の面から図１１（ｃ）に示すアームピン３３がそれぞれ嵌合されている。それぞれのアームピン３３には図１０（ａ）（ｂ）に示すアーム３４，３５が回転自在に軸支されている。つまり、アーム３４，３５は、スライドプレート２５と一体に移動される。アーム３４，３５にはバネ座３４ａ，３５ａと、回転規制突起３４ｂ，３５ｂとが設けられている。
【００２６】
アームピン３３には図２に示すアームバネ３７が装着される。アームバネ３７は、一端が切り起こし２５ｊに掛止されるとともに、他端がバネ座３４ａ，３５ａに掛止される。それぞれのアーム３４，３５は、アームバネ３７によって、先端がスライドプレート２５の中央方向に回転するように付勢される。
また、アーム３４，３５は、回転規制突起３４ｂ，３５ｂがスライドプレート２５のアーム溝２５ｃに当接することで所定位置で回転が規制されている。さらに、各アーム３４，３５の先端部は鉤状に形成されるとともに、図１１（ｄ）に示す摺接ピン３６が嵌着されている。それぞれのアーム３４，３５に設けられた摺接ピン３６は、アーム３４，３５がアームバネ３７によって付勢されることで、底板２３の欠切部２３ｅに摺接するようになっており、また、両アーム３４，３５の鉤状先端３４ｃ，３５ｃは副ダルマ１９の規制腕１９ｂ，１９ａに係合するようになっている。
【００２７】
ストッパーダルマ１５，リセットダルマ１７，副ダルマ１９，底板２３，スライドプレート２５の収容された凹部２１は、図４に示すカバープレート３９によって塞がれる。カバープレート３９には、ストッパーダルマ１５，リセットダルマ１７を露出させる上部穴３９ａと、副ダルマ１９を露出させる下部穴３９ｂと、クリック軸２９の中空穴と一致する固定孔３９ｃと、取付孔３９ｄとが穿設されている。カバープレート３９は、図１に示すように、固定穴３９ｃに挿通された皿ビス４１、取付孔３９ｄに挿通されたビスにより台座ユニットＣに固定される。
【００２８】
図１に示すように、サムターンユニットＤには屋内側に摘み部４５ａを露出させるサムターン４５が回転自在に設けられる。サムターン４５の摘み部４５ａには錠箱Ａ内に突出する軸４５ｂが固着される。サムターン４５は、回転させることにより、軸４５ｂを介して錠箱Ａ内の機構部を作動させ、ロック部材を扉３のフロント板から進退させ、施解錠を可能としている。また、軸４５ｂの解錠方向の回転は、錠箱Ａ内の機構部を介してリセットダルマ１７に伝達されるようになっている。つまり、スライドプレート２５は、上辺部が、サムターン４５により回転されるリセットダルマ１７のリセット板１７ｂに当接され、一方のスライド位置から他方のスライド位置に移動されるようになっている。
【００２９】
次に、このように構成される施解錠装置１の作用を説明する。
〔屋内側からの操作について〕
サムターン４５による施解錠操作については、４５°回転でガードロック状態、９０°回転で施解錠操作が行える。このサムターン４５による操作は、屋外側からのキー９による第一シリンダー錠５及び第二シリンダー錠７（屋外側シリンダー）のシングルロック、ダブルロック状態に関係なく可能となる。
【００３０】
このサムターン４５の操作によると、図１５に示すダブルロック状態であっても、リセットダルマ１７のリセット板１７ｂがスライドプレート２５の上辺部を押下して、スライドプレート２５を他方のスライド位置に移動させ、第二シリンダー錠７を解錠し同時に第一シリンダー錠を解錠する。なお解錠状態においては図１２に示すようにリセット板１７ｂがスライドプレート２５の逃げ部２５ａに当接状態となり、すなわちこのスライドプレート２５を上昇移動させず、他方のスライド位置に維持するようになっており、第二シリンダー錠７の操作が不可能となる。
【００３１】
〔屋外側からの操作について〕
１．ダブルロック…施解錠が２動作必要である機構（防犯性重視型）
（ｉ）まず、施解錠装置１の第一シリンダー錠５に対し、キー９にて施錠操作が行われる。施解錠装置１は、第一シリンダー錠５が図１３に示すように、施錠状態で、第二シリンダー錠７が操作されていないシングルロック状態の時に、第二シリンダー錠７をキー９にて４５°回転（図中反時計回り方向）させると、図１４に示すように、副ダルマ１９の小突起１９ｃが小突起用溝２５ｆに摺接してスライドプレート２５を押し上げ、図１５に示すダブルロック状態になる。このとき、スライドプレート２５の上昇移動に伴いアーム３５が摺接ピン３６の欠切部２３ｅとの摺動により後退する。
【００３２】
そして、キー９を第二シリンダー錠７から抜脱するために上記４５°回転を戻すことで、副ダルマ１９の規制腕１９ｂがアームバネ３７の付勢力により進出するアーム３４の鉤錠先端３４ｃに係合する。これにより、副ダルマ１９に連結されている第二シリンダー錠７は、さらなる回転（図１５中反時計回り方向）が規制される。
このダブルロック状態では、第一シリンダー錠５の回転軸１１が、ストッパーダルマ１５の係合板１５ｂと一方のスライド位置のスライドプレート２５のクリック軸遊嵌溝２５ｂとが係合することによって回転規制され、第一シリンダー錠５は操作することができない。
【００３３】
（ii）このダブルロック状態からの解錠操作は、まず、第二シリンダー錠７を上記とは反対方向に４５°回転（図１５中時計回り方向）させる。すると、副ダルマ１９によってスライドプレート２５が図１６に示す他方のスライド位置（図中下方）に移動され、第一シリンダー錠５に対するロックが解除される。すなわちシングルロック状態となり、図１３に示す状態となる。この場合においては第二シリンダー錠７は、副ダルマ１９の規制腕１９ａがアーム３５の鉤錠先端３５ｃに係合することになり、副ダルマ１９に連結されている第二シリンダー錠７は、さらなる回転（図１３中時計回り方向）が規制される。
【００３４】
（iii ）従って、（ii）の操作により、第一シリンダー錠５は、ストッパーダルマ１５がスライドプレート２５から規制を受けなくなり、解錠操作ができるようになり、すなわち、キー９にて第一シリンダー錠５を操作することで解錠となる。
【００３５】
（iv）従って、再度、ダブルロック状態にさせるには、キー９にて第一シリンダー錠５を施錠する上記（ｉ）の操作から行うことになる。
【００３６】
２．シングルロック…解錠が１動作でできる機構（操作性重視型）
（ｉ）ダブルロック時に第二シリンダー錠７をシングルロックに切り替えた場合や、サムターン４５で解錠（又はガードロック）状態にした場合は、屋外側シリンダーはシングルロック状態になる。すなわち、スライドプレート２５が他方のスライド位置（図中下方）にある状態においては、常にシングルロックを行える状態である。
【００３７】
（ii）このシングルロック状態は、屋外側から第二シリンダー錠７によるダブルロックへの切替操作、すなわちキー９にてスライドプレート２５を一方のスライド位置（図中上方）へと移行させる操作を行わない限り保持されることになる。この状態では、第一シリンダー錠５は、通常の１シリンダー錠前と同様なキー９による施解錠操作が行えるようになる。
【００３８】
このように、上述の施解錠装置１では、屋外側からの施錠時、第一シリンダー錠５のみをキー操作することにより、ロック部材が進退されて施解錠が行われる。
すなわち、この場合には、通常の１シリンダー錠前としてのシングルロックが可能となる。
また、シングルロック状態で屋外側から第二シリンダー錠７がキー操作されると、スライドプレート２５が第一シリンダー錠５の回転を阻止する一方のスライド位置にスライドされ、第一シリンダー錠５を直接、キー操作させての解錠が不能なダブルロック状態となる。
【００３９】
このダブルロック状態の施解錠装置１を屋外側から解錠するには、最初に、第二シリンダー錠７がキー９にて操作される。第二シリンダー錠７がキー操作されると、スライドプレート２５が他方のスライド位置に移動され、第一シリンダー錠５の回転阻止が解除される。これにより、再び第一シリンダー錠５のみによるシングルロック状態となり、第一シリンダー錠５をキー９にて解錠操作することによる施解錠装置１の解錠が可能となる。
【００４０】
一方、ダブルロック状態の施解錠装置１を屋内側から解錠するには、サムターン４５が回転操作される。サムターン４５が回転操作されると、ロック部材の後退と同時に、スライドプレート２５が他方のスライド位置に移動され、ダブルロック状態から一度に、施解錠装置１が解錠されることになる。
【００４１】
従って、施解錠装置１によれば、屋外側から必要に応じてダブルロック状態に操作ができる一方、屋内側からは１サムターンで施解錠操作ができ、防犯性能の向上と、利便性とを同時に達成することができるようになる。
【００４２】
【発明の効果】
以上詳細に説明したように、本発明に係る施解錠装置は、屋外側からのキー操作によりロック部材を進退させる第一シリンダー錠と、一方のスライド位置で第一シリンダー錠の回転を阻止し、他方のスライド位置で第一シリンダー錠を回転自在にするスライドプレートと、屋外側からのキー操作によりスライドプレートを一方のスライド位置又は、他方のスライド位置に移動させる第二シリンダー錠と、屋内側からの回転操作によりロック部材を進退させて施解錠を行うとともに、解錠時には一方のスライド位置にあるスライドプレートを他方のスライド位置に移動させるサムターンとを設けたので、第一シリンダー錠のみのキー操作によりシングルロックが行え、シングルロック状態で第二シリンダー錠をキー操作することにより、ダブルロックが行える。これにより、屋外側から必要に応じてダブルロック状態への操作ができる。
一方、屋内側からは１サムターンで施解錠操作ができる。
この結果、施解錠装置における防犯性能及び利便性を同時に向上させることができる。
【００４３】
また、本発明に係る施解錠装置の操作方法は、屋外側からの第一シリンダー錠のキー操作によるシングルロックの後に、同屋外側から第二シリンダー錠を同じキーにて操作することで、第一シリンダー錠のキー操作が不能となり、屋外側からの解錠時には、第二シリンダー錠をキー操作して第一シリンダー錠のキー操作不能状態を解除した後でなければ、第一シリンダー錠がキー操作できないので、屋外側からの解錠を困難にすることができる。
一方、ダブルロック状態における屋内側からの解錠時には、サムターンの回転操作のみにより、第一シリンダー錠及び第二シリンダー錠の施錠状態を解除でき、かつロック部材が後退して解錠されるので、煩雑な二重の解除操作が不要となって、屋内側からの解錠を容易にすることができる。
この結果、施解錠装置における防犯性能及び利便性を同時に向上させることができる。
【図面の簡単な説明】
【図１】本発明に係る施解錠装置の縦断面図である。
【図２】図１の台座ユニットを屋内側から視た正面図である。
【図３】図２におけるイ−イ線矢視図である。
【図４】施解錠装置の要部分解斜視図である。
【図５】底板の拡大斜視図である。
【図６】ストッパーダルマの拡大斜視図である。
【図７】リセットダルマの拡大斜視図である。
【図８】副ダルマの拡大斜視図である。
【図９】スライドプレートの拡大斜視図である。
【図１０】左アームを（ａ）、右アームを（ｂ）に示した拡大斜視図である。
【図１１】各種ピンを（ａ）〜（ｄ）に示した拡大側面図である。
【図１２】本発明に係る施解錠装置の解錠状態時の縦断面図である。
【図１３】本発明に係る施解錠装置のシングルロック状態時の縦断面図である。
【図１４】本発明に係る施解錠装置のダブルロック操作時の縦断面図である。
【図１５】本発明に係る施解錠装置のダブルロック状態時の縦断面図である。
【図１６】本発明に係る施解錠装置のダブルロック解除時の縦断面図である。
【符号の説明】
１…施解錠装置
３…扉
５…第一シリンダー錠
７…第二シリンダー錠
９…キー
２５…スライドプレート
４５…サムターン
Ａ…錠箱
【図１】
0003877197.tif 000002
【図２】
0003877197.tif 000003
【図３】
0003877197.tif 000004
【図４】
0003877197.tif 000005
【図５】
0003877197.tif 000006
【図６】
0003877197.tif 000007
【図７】
0003877197.tif 000008
【図８】
0003877197.tif 000009
【図９】
0003877197.tif 000010
【図１０】
0003877197.tif 000011
【図１１】
0003877197.tif 000012
【図１２】
0003877197.tif 000013
【図１３】
0003877197.tif 000014
【図１４】
0003877197.tif 000015
【図１５】
0003877197.tif 000016
【図１６】
0003877197.tif 000017